(57)【要約】【課題】過電流状態を遮断することができる照明用白色ＬＥＤ駆動回路を提供する。【解決手段】複数の白色ＬＥＤを直列に接続した直列接続体を複数列並列に接続している白色ＬＥＤ群（ＬＥＤ直列接続体６＿１〜６＿ｎからなる白色ＬＥＤ群）を駆動する回路であって、前記複数列のどこかの列で異常電流（予め設定している所定レベル以上の電流）が流れた場合、異常電流が流れた列の白色ＬＥＤの電流を遮断する照明用白色ＬＥＤ駆動回路。【選択図】図１
2009252344.tif 000002
【特許請求の範囲】
【請求項１】
複数の白色ＬＥＤを直列に接続した直列接続体を複数列並列に接続している白色ＬＥＤ群を駆動する回路であって、
前記複数列のどこかの列で異常電流（予め設定している所定レベル以上の電流）が流れた場合、異常電流が流れた列の白色ＬＥＤの電流を遮断することを特徴とする照明用白色ＬＥＤ駆動回路。
【請求項２】
複数の白色ＬＥＤを直列に接続した直列接続体を複数列並列に接続している白色ＬＥＤ群を駆動する回路であって、
前記複数列のどこかの列で異常電流（予め設定している所定レベル以上の電流）が流れた場合、前記複数列全ての白色ＬＥＤの電流を遮断することを特徴とする照明用白色ＬＥＤ駆動回路。
【請求項３】
前記白色ＬＥＤ群への出力電圧供給と前記白色ＬＥＤ群への出力電圧供給停止とを切り替えるための出力スイッチを備え、
前記複数列のどこかの列で異常電流が流れた場合、前記出力スイッチをオフにすることにより前記複数列全ての白色ＬＥＤの電流を遮断する請求項２に記載の照明用白色ＬＥＤ駆動回路。
【請求項４】
複数の白色ＬＥＤを直列に接続した直列接続体を複数列並列に接続している白色ＬＥＤ群を駆動する回路であって、
前記白色ＬＥＤ群への出力電圧供給と前記白色ＬＥＤ群への出力電圧供給停止とを切り替えるための出力スイッチを備え、
前記白色ＬＥＤ群へ供給する出力電圧が過電圧（予め設定している所定レベル以上の電圧電流）になった場合、前記出力スイッチをオフにすることにより前記複数列全ての白色ＬＥＤの電流を遮断することを特徴とする照明用白色ＬＥＤ駆動回路。
【請求項５】
前記複数列の各列の白色ＬＥＤの電流をそれぞれ一定にする定電流制御部を備える請求項１に記載の照明用白色ＬＥＤ駆動回路。
【請求項６】
前記複数列のどこかの列で異常電流が流れた場合、異常電流が流れていない列の白色ＬＥＤの電流を前記複数列のいずれの列でも異常電流が流れていない場合に比べて増加させる電流調節部を備える請求項１に記載の照明用白色ＬＥＤ駆動回路。
【請求項７】
前記複数列のどこかの列で異常電流が流れた場合、異常電流が流れていない列の白色ＬＥＤを点滅駆動する請求項１に記載の照明用白色ＬＥＤ駆動回路。
【請求項８】
前記複数列のどこかの列がオープン状態になった場合、オープン状態になっていない列の白色ＬＥＤを点滅駆動する請求項７に記載の照明用白色ＬＥＤ駆動回路。
【請求項９】
複数の白色ＬＥＤを直列に接続した直列接続体を複数列並列に接続している白色ＬＥＤ群と、
前記白色ＬＥＤ群を駆動する請求項１〜８のいずれかに記載の照明用白色ＬＥＤ駆動回路とを備えたことを特徴とする照明装置。
【請求項１０】
請求項９に記載の照明装置を備えたことを特徴とする電子機器。
【発明の詳細な説明】
【技術分野】
【０００１】
本発明は、照明用白色ＬＥＤを駆動する照明用白色ＬＥＤ駆動回路並びにこれを備えた照明装置及び電子機器に関するものである。
【背景技術】
【０００２】
近年、照明において従来の蛍光灯に置き換わるものとして、白色ＬＥＤを用いた照明装置（白色ＬＥＤ照明装置）が製品化されている。この白色ＬＥＤ照明装置は、蛍光灯に比べ長寿命であるというメリットを有している。
【０００３】
白色ＬＥＤ照明装置においては、通常、コイル及びダイオードを具備するチョッパ方式レギュレータにより白色ＬＥＤを駆動し、複数の白色ＬＥＤを直列に接続することにより白色ＬＥＤに流す電流を一定に保ち、個々の白色ＬＥＤの輝度ばらつきを少なくしている。しかし、白色ＬＥＤ照明装置において高光量が要求される場合には、白色ＬＥＤを多く必要とするため、複数の白色ＬＥＤを直列に接続したＬＥＤ直列接続体を複数列設け、その複数列のＬＥＤ直列接続体を並列に接続している。
【０００４】
ここで、従来の白色ＬＥＤ照明装置の一構成例を図８に示す。図８に示す従来の白色ＬＥＤ照明装置は、直流電源１の出力電圧を平滑して入力電圧ＶINとするコンデンサ２と、白色ＬＥＤ駆動用ＩＣパッケージ１３、ダイオード９、コイル８、コンデンサ１０、抵抗１１、及び抵抗１２からなる降圧型チョッパレギュレータである照明用白色ＬＥＤ駆動回路と、複数の白色ＬＥＤを直列に接続したＬＥＤ直列接続体６＿１〜６＿ｎとによって構成される。各ＬＥＤ直列接続体６＿１〜６＿ｎは並列接続され、アノード側が照明用白色ＬＥＤ駆動回路の出力端に接続される。
【０００５】
白色ＬＥＤ駆動用ＩＣパッケージ１３は、ＮＰＮトランジスタである出力トランジスタ３と、ＰＷＭ制御回路４と、過電流検出回路５と、各ＬＥＤ直列接続体６＿１〜６＿ｎのカソード側にそれぞれ接続される負荷抵抗７＿１〜７＿ｎと、入力電圧ＶINを入力する端子Ｔ１と、パルス状電圧ＶSWを出力する端子Ｔ２と、フィードバック電圧ＶFBを入力する端子Ｔ３と、グランド電位に接続される端子Ｔ４と、各ＬＥＤ直列接続体６＿１〜６＿ｎのカソード側が外部接続される端子Ｔ6_1〜Ｔ6_nとを備えている。そして、ＰＷＭ制御回路４は、誤差増幅器４Ａと、基準電圧ＶREFを出力する基準電圧回路４Ｂと、三角波を発振する発振回路４Ｃと、ＰＷＭコンパレータ４Ｄと、出力トランジスタ駆動回路４Ｅとを備えている。
【０００６】
上記構成の図８に示す従来の白色ＬＥＤ照明装置では、端子Ｔ３に入力されるフィードバック電圧ＶFBが出力電圧ＶOを抵抗１１及び１２で分圧したものとなり、そのフィードバック電圧ＶFBと基準電圧回路４Ｂから出力される基準電圧ＶREFとの誤差を誤差増幅器４Ａが増幅して出力し、誤差増幅器４Ａの出力と発振回路４Ｃから発振される三角波とをＰＷＭコンパレータ４Ｄが比較して誤差増幅器４Ａの出力をパルス幅変調したＰＷＭ信号を生成し、そのＰＷＭ信号に応じて出力トランジスタ駆動回路４Ｅが出力トランジスタ３のＯＮ／ＯＦＦを切り替えることにより、出力電圧ＶOを一定に保つ。
【０００７】
出力トランジスタ３がＯＮのときは、端子Ｔ１から出力トランジスタ３、コイル８へと電流が流れ、コイル８にエネルギーが蓄えられると共に白色ＬＥＤへ電流が供給される。一方、出力トランジスタ３がＯＦＦのときは、コイル８に蓄えられていたエネルギーがダイオード９を介して放出され、白色ＬＥＤへ電流が供給される。また、各ＬＥＤ直列接続体６＿１〜６＿ｎに流れる電流は、カソード側に接続される各抵抗７＿１〜７＿ｎの抵抗値により設定された電流値となる。
【０００８】
また、ＬＥＤがショートする等により出力トランジスタ３に過電流が流れる場合、過電流検出回路５が出力トランジスタ３の過電流を検出し、図９に示すようなパルス・バイ・パルス方式の保護により、出力トランジスタ３の電流Ｉ３が或る一定レベル（過電流検出レベル）ＬＶTH以上になると、出力トランジスタ駆動回路４Ｅがすぐに出力トランジスタ３をオフにする。
【０００９】
【特許文献１】特開２０００−２７８８５９号公報
【特許文献２】特開２００５−２９４０６１号公報
【特許文献３】特開平５−１８４１４２号公報
【発明の開示】
【発明が解決しようとする課題】
【００１０】
しかしながら、上記構成の図８に示す従来の白色ＬＥＤ照明装置では、異常が発生し、いずれかのＬＥＤ直列接続体でＬＥＤに異常電流が流れた場合、出力トランジスタ３に過電流が流れ続ける状態が持続されるという問題が生じる。
【００１１】
本発明は、上記の状況に鑑み、過電流状態を遮断することができる照明用白色ＬＥＤ駆動回路並びにこれを備えた照明装置及び電子機器を提供することを目的とする。
【課題を解決するための手段】
【００１２】
上記目的を達成するために本発明に係る照明用白色ＬＥＤ駆動回路は、複数の白色ＬＥＤを直列に接続した直列接続体を複数列並列に接続している白色ＬＥＤ群を駆動する回路であって、前記複数列のどこかの列で異常電流（予め設定している所定レベル以上の電流）が流れた場合、異常電流が流れた列の白色ＬＥＤの電流を遮断するようにしている。
【００１３】
このような構成によると、異常が発生し、前記複数列のどこかの列で異常電流が流れた場合であっても、過電流状態を遮断することができる。また、明るさを一定に保つ観点から、前記複数列の各列の白色ＬＥＤの電流をそれぞれ一定にする定電流制御部を備えるようにしてもよい。また、異常時においても正常時と明るさを同一にする観点から、前記複数列のどこかの列で異常電流が流れた場合、異常電流が流れていない列の白色ＬＥＤの電流を前記複数列のいずれの列でも異常電流が流れていない場合に比べて増加させるようにしてもよい。また、異常状態を使用者に知らせる観点から、前記複数列のどこかの列で異常電流が流れた場合、異常電流が流れていない列の白色ＬＥＤを点滅駆動するようにしてもよく、オープン状態の異常状態も使用者に知らせる観点から、さらに、前記複数列のどこかの列がオープン状態になった場合、オープン状態になっていない列の白色ＬＥＤを点滅駆動するようにしてもよい。
【００１４】
また、上記目的を達成するために本発明に係る照明用白色ＬＥＤ駆動回路は、複数の白色ＬＥＤを直列に接続した直列接続体を複数列並列に接続している白色ＬＥＤ群を駆動する回路であって、前記複数列のどこかの列で異常電流（予め設定している所定レベル以上の電流）が流れた場合、前記複数列全ての白色ＬＥＤの電流を遮断するようにしている。なお、前記複数列全ての白色ＬＥＤの電流を遮断する手法として、例えば、前記白色ＬＥＤ群への出力電圧供給と前記白色ＬＥＤ群への出力電圧供給停止とを切り替えるための出力スイッチを備え、前記出力スイッチをオフにすることにより前記複数列全ての白色ＬＥＤの電流を遮断する手法が挙げられる。
【００１５】
このような構成によると、異常が発生し、前記複数列のどこかの列で異常電流が流れた場合であっても、過電流状態を遮断することができる。
【００１６】
また、上記目的を達成するために本発明に係る照明用白色ＬＥＤ駆動回路は、複数の白色ＬＥＤを直列に接続した直列接続体を複数列並列に接続している白色ＬＥＤ群を駆動する回路であって、前記白色ＬＥＤ群への出力電圧供給と前記白色ＬＥＤ群への出力電圧供給停止とを切り替えるための出力スイッチを備え、前記白色ＬＥＤ群へ供給する出力電圧が過電圧（予め設定している所定レベル以上の電圧電流）になった場合、前記出力スイッチをオフにすることにより前記複数列全ての白色ＬＥＤの電流を遮断するようにしている。
【００１７】
このような構成によると、異常が発生し、前記白色ＬＥＤ群へ供給する出力電圧が過電圧となる場合であっても、過電流状態を遮断することができる。
【００１８】
また、本発明に係る照明装置は、複数の白色ＬＥＤを直列に接続した直列接続体を複数列並列に接続している白色ＬＥＤ群と、前記白色ＬＥＤ群を駆動する上記各構成の照明用白色ＬＥＤ駆動回路とを備えた構成としている。
【００１９】
また、本発明に係る電子機器は、上記構成の照明装置を備えた構成としている。
【発明の効果】
【００２０】
本発明に係る照明用白色ＬＥＤ駆動回路並びにこれを備えた照明装置及び電子機器によると、過電流状態を遮断することができる。
【発明を実施するための最良の形態】
【００２１】
本発明の実施形態について図面を参照して以下に説明する。
【００２２】
（第一実施形態）
本発明の第一実施形態に係る白色ＬＥＤ照明装置の構成を図１に示す。なお、図１において図８と同一の部分には同一の符号を付す。
【００２３】
図１に示す本発明の第一実施形態に係る白色ＬＥＤ照明装置は、直流電源１の出力電圧を平滑して入力電圧ＶINとするコンデンサ２と、白色ＬＥＤ駆動用ＩＣパッケージ１７、ダイオード９、コイル８、コンデンサ１０、抵抗１１、及び抵抗１２からなる降圧型チョッパレギュレータである照明用白色ＬＥＤ駆動回路と、複数の白色ＬＥＤを直列に接続したＬＥＤ直列接続体６＿１〜６＿ｎとによって構成される。各ＬＥＤ直列接続体６＿１〜６＿ｎは並列接続され、アノード側が照明用白色ＬＥＤ駆動回路の出力端に接続される。
【００２４】
白色ＬＥＤ駆動用ＩＣパッケージ１７は、ＮＰＮトランジスタである出力トランジスタ３と、ＰＷＭ制御回路４と、各ＬＥＤ直列接続体６＿１〜６＿ｎのカソード側にそれぞれ接続される負荷抵抗７＿１〜７＿ｎ及びＮＰＮトランジスタ１４＿１〜１４＿ｎと、各ＬＥＤ直列接続体６＿１〜６＿ｎを流れる電流を検出する電流検出回路１５と、電流検出回路１５の検出結果に応じて各ＮＰＮトランジスタ１４＿１〜１４＿ｎを駆動する駆動回路１６と、入力電圧ＶINを入力する端子Ｔ１と、パルス状電圧ＶSWを出力する端子Ｔ２と、フィードバック電圧ＶFBを入力する端子Ｔ３と、グランド電位に接続される端子Ｔ４と、各ＬＥＤ直列接続体６＿１〜６＿ｎのカソード側が外部接続される端子Ｔ6_1〜Ｔ6_nとを備えている。なお、出力トランジスタ３はＮチャンネル電界効果トランジスタに代替してもよい。また、ＰＷＭ制御回路４の内部構成は、図８に示す従来の白色ＬＥＤ照明装置の場合と同様である。
【００２５】
上記構成の図１に示す本発明の第一実施形態に係る白色ＬＥＤ照明装置では、端子Ｔ３に入力されるフィードバック電圧ＶFBが出力電圧ＶOを抵抗１１及び１２で分圧したものとなり、そのフィードバック電圧ＶFBと基準電圧回路４Ｂから出力される基準電圧ＶREFとの誤差を誤差増幅器４Ａが増幅して出力し、誤差増幅器４Ａの出力と発振回路４Ｃから発振される三角波とをＰＷＭコンパレータ４Ｄが比較して誤差増幅器４Ａの出力をパルス幅変調したＰＷＭ信号を生成し、そのＰＷＭ信号に応じて出力トランジスタ駆動回路４Ｅが出力トランジスタ３のＯＮ／ＯＦＦを切り替えることにより、出力電圧ＶOを一定に保つ。
【００２６】
出力トランジスタ３がＯＮのときは、端子Ｔ１から出力トランジスタ３、コイル８へと電流が流れ、コイル８にエネルギーが蓄えられると共に白色ＬＥＤへ電流が供給される。一方、出力トランジスタ３がＯＦＦのときは、コイル８に蓄えられていたエネルギーがダイオード９を介して放出され、白色ＬＥＤへ電流が供給される。
【００２７】
各ＬＥＤ直列接続体６＿１〜６＿ｎに流れる電流は、カソード側に接続される各抵抗７＿１〜７＿ｎの抵抗値及び各ＮＰＮトランジスタ１４＿１〜１４＿ｎのコレクタ−エミッタ間電圧により設定された電流値となる。すなわち、ＬＥＤ直列接続体６＿ｋ（ｋは１以上ｎ以下の自然数）に流れる電流Ｉ6_kは、以下の式で表される。ただし、ＶF6_kはＬＥＤ直列接続体６＿ｋの総順方向電圧であり、ＶCE14_kはＮＰＮトランジスタ１４＿ｋのコレクタ−エミッタ間電圧であり、ｒ7_kは抵抗７＿ｋの抵抗値である。
Ｉ6_k＝（Ｖｏ―ＶF6_k―ＶCE14_k）／ｒ7_k
【００２８】
上述の通り、電流検出回路１５は各ＬＥＤ直列接続体６＿１〜６＿ｎを流れる電流を検出しており、駆動回路１６は電流検出回路１５の検出結果に応じて各ＮＰＮトランジスタ１４＿１〜１４＿ｎを駆動する。例えば、ＬＥＤ直列接続体６＿１のＬＥＤがショートしＬＥＤ直列接続体６＿１に異常電流が流れた場合、抵抗７＿１での電圧降下が大きくなることにより電流検出回路１５がＬＥＤ直列接続体６＿１の異常電流（予め設定している所定レベル以上の電流）を検出し、駆動回路１６が電流検出回路１５の検出結果に応じて異常電流が流れているＬＥＤ直列接続体６＿１に接続されているＮＰＮトランジスタ１４＿１をオフにし、ＬＥＤ直列接続体６＿１の電流を遮断する。これにより、異常が発生し、いずれかのＬＥＤ直列接続体でＬＥＤに異常電流が流れた場合であっても、出力トランジスタ３に過電流が流れ続ける状態を遮断することができる。
【００２９】
（第二実施形態）
本発明の第二実施形態に係る白色ＬＥＤ照明装置は、本発明の第一実施形態に係る白色ＬＥＤ照明装置と同様に図１に示す構成であるが、本発明の第一実施形態に係る白色ＬＥＤ照明装置とは駆動回路１６の動作が異なっている。
【００３０】
本発明の第二実施形態に係る白色ＬＥＤ照明装置では、ＬＥＤ直列接続体６＿１〜６＿ｎの少なくとも一列に異常電流（予め設定している所定レベル以上の電流）が流れた場合、異常電流が流れたＬＥＤ直列接続体に接続されている抵抗での電圧降下が大きくなることにより電流検出回路１５がＬＥＤ直列接続体の異常電流を検出し、駆動回路１６が電流検出回路１５の検出結果に応じてＮＰＮトランジスタ１４＿１〜１４＿ｎ全てをオフにし、ＬＥＤ直列接続体６＿１〜６＿ｎ全ての電流を遮断する。これにより、異常が発生し、いずれかのＬＥＤ直列接続体でＬＥＤに異常電流が流れた場合であっても、出力トランジスタ３に過電流が流れ続ける状態を遮断することができる。
【００３１】
（第三実施形態）
本発明の第三実施形態に係る白色ＬＥＤ照明装置の構成を図２に示す。なお、図２において図８と同一の部分には同一の符号を付す。
【００３２】
図２に示す本発明の第三実施形態に係る白色ＬＥＤ照明装置は、直流電源１の出力電圧を平滑して入力電圧ＶINとするコンデンサ２と、白色ＬＥＤ駆動用ＩＣパッケージ１９、ダイオード９、コイル８、コンデンサ１０、抵抗１１、及び抵抗１２からなる降圧型チョッパレギュレータである照明用白色ＬＥＤ駆動回路と、複数の白色ＬＥＤを直列に接続したＬＥＤ直列接続体６＿１〜６＿ｎとによって構成される。各ＬＥＤ直列接続体６＿１〜６＿ｎは並列接続され、アノード側が照明用白色ＬＥＤ駆動回路の出力端に接続される。
【００３３】
白色ＬＥＤ駆動用ＩＣパッケージ１９は、ＮＰＮトランジスタである出力トランジスタ３と、ＰＷＭ制御回路４と、各ＬＥＤ直列接続体６＿１〜６＿ｎのカソード側にそれぞれ接続される負荷抵抗７＿１〜７＿ｎと、各ＬＥＤ直列接続体６＿１〜６＿ｎを流れる電流を検出する電流検出回路１５と、電流検出回路１５の検出結果に応じてスイッチ１８のオン／オフを切り替える駆動回路１６Ａと、スイッチ１８と、入力電圧ＶINを入力する端子Ｔ１と、パルス状電圧ＶSWを出力する端子Ｔ２と、フィードバック電圧ＶFBを入力する端子Ｔ３と、グランド電位に接続される端子Ｔ４と、スイッチ１８の一端に接続される端子Ｔ５と、スイッチ１８の他端に接続される端子Ｔ６と、各ＬＥＤ直列接続体６＿１〜６＿ｎのカソード側が外部接続される端子Ｔ6_1〜Ｔ6_nとを備えている。なお、出力トランジスタ３はＮチャンネル電界効果トランジスタに代替してもよい。また、ＰＷＭ制御回路４の内部構成は、図８に示す従来の白色ＬＥＤ照明装置の場合と同様である。
【００３４】
上記構成の図２に示す本発明の第三実施形態に係る白色ＬＥＤ照明装置では、端子Ｔ３に入力されるフィードバック電圧ＶFBが出力電圧ＶOを抵抗１１及び１２で分圧したものとなり、そのフィードバック電圧ＶFBと基準電圧回路４Ｂから出力される基準電圧ＶREFとの誤差を誤差増幅器４Ａが増幅して出力し、誤差増幅器４Ａの出力と発振回路４Ｃから発振される三角波とをＰＷＭコンパレータ４Ｄが比較して誤差増幅器４Ａの出力をパルス幅変調したＰＷＭ信号を生成し、そのＰＷＭ信号に応じて出力トランジスタ駆動回路４Ｅが出力トランジスタ３のＯＮ／ＯＦＦを切り替えることにより、出力電圧ＶOを一定に保つ。
【００３５】
出力トランジスタ３がＯＮのときは、端子Ｔ１から出力トランジスタ３、コイル８へと電流が流れ、コイル８にエネルギーが蓄えられると共に白色ＬＥＤへ電流が供給される。一方、出力トランジスタ３がＯＦＦのときは、コイル８に蓄えられていたエネルギーがダイオード９を介して放出され、白色ＬＥＤへ電流が供給される。
【００３６】
各ＬＥＤ直列接続体６＿１〜６＿ｎに流れる電流は、カソード側に接続される各抵抗７＿１〜７＿ｎの抵抗値により設定された電流値となる。すなわち、ＬＥＤ直列接続体６＿ｋ（ｋは１以上ｎ以下の自然数）に流れる電流Ｉ6_kは、以下の式で表される。ただし、ＶF6_kはＬＥＤ直列接続体６＿ｋの総順方向電圧であり、ｒ7_kは抵抗７＿ｋの抵抗値である。
Ｉ6_k＝（Ｖｏ―ＶF6_k）／ｒ7_k
【００３７】
上述の通り、電流検出回路１５は各ＬＥＤ直列接続体６＿１〜６＿ｎを流れる電流を検出しており、駆動回路１６Ａは電流検出回路１５の検出結果に応じてスイッチ１８のオン／オフを切り替える。ＬＥＤ直列接続体６＿１〜６＿ｎの少なくとも一列に異常電流（予め設定している所定レベル以上の電流）が流れた場合、異常電流が流れたＬＥＤ直列接続体に接続されている抵抗での電圧降下が大きくなることにより電流検出回路１５がＬＥＤ直列接続体の異常電流を検出し、駆動回路１６Ａが電流検出回路１５の検出結果に応じてスイッチ１８をオフにし、照明用白色ＬＥＤ駆動回路と各ＬＥＤ直列接続体６＿１〜６＿ｎとの電気的接続を遮断する。これにより、異常が発生し、いずれかのＬＥＤ直列接続体でＬＥＤに異常電流が流れた場合であっても、出力トランジスタ３に過電流が流れ続ける状態を遮断することができる。
【００３８】
（第四実施形態）
本発明の第四実施形態に係る白色ＬＥＤ照明装置の構成を図３に示す。なお、図３において図８と同一の部分には同一の符号を付す。
【００３９】
図３に示す本発明の第四実施形態に係る白色ＬＥＤ照明装置は、直流電源１の出力電圧を平滑して入力電圧ＶINとするコンデンサ２と、白色ＬＥＤ駆動用ＩＣパッケージ２１、ダイオード９、コイル８、コンデンサ１０、抵抗１１、及び抵抗１２からなる降圧型チョッパレギュレータである照明用白色ＬＥＤ駆動回路と、複数の白色ＬＥＤを直列に接続したＬＥＤ直列接続体６＿１〜６＿ｎとによって構成される。各ＬＥＤ直列接続体６＿１〜６＿ｎは並列接続され、アノード側が照明用白色ＬＥＤ駆動回路の出力端に接続される。
【００４０】
白色ＬＥＤ駆動用ＩＣパッケージ２１は、ＮＰＮトランジスタである出力トランジスタ３と、ＰＷＭ制御回路４と、各ＬＥＤ直列接続体６＿１〜６＿ｎのカソード側にそれぞれ接続される負荷抵抗７＿１〜７＿ｎと、出力電圧Ｖｏを検出する出力電圧検出回路２０と、出力電圧検出回路２０の検出結果に応じてスイッチ１８のオン／オフを切り替える駆動回路１６Ｂと、スイッチ１８と、入力電圧ＶINを入力する端子Ｔ１と、パルス状電圧ＶSWを出力する端子Ｔ２と、フィードバック電圧ＶFBを入力する端子Ｔ３と、グランド電位に接続される端子Ｔ４と、スイッチ１８の一端に接続される端子Ｔ５と、スイッチ１８の他端に接続される端子Ｔ６と、各ＬＥＤ直列接続体６＿１〜６＿ｎのカソード側が外部接続される端子Ｔ6_1〜Ｔ6_nとを備えている。なお、出力トランジスタ３はＮチャンネル電界効果トランジスタに代替してもよい。また、ＰＷＭ制御回路４の内部構成は、図８に示す従来の白色ＬＥＤ照明装置の場合と同様である。
【００４１】
上記構成の図３に示す本発明の第四実施形態に係る白色ＬＥＤ照明装置では、端子Ｔ３に入力されるフィードバック電圧ＶFBが出力電圧ＶOを抵抗１１及び１２で分圧したものとなり、そのフィードバック電圧ＶFBと基準電圧回路４Ｂから出力される基準電圧ＶREFとの誤差を誤差増幅器４Ａが増幅して出力し、誤差増幅器４Ａの出力と発振回路４Ｃから発振される三角波とをＰＷＭコンパレータ４Ｄが比較して誤差増幅器４Ａの出力をパルス幅変調したＰＷＭ信号を生成し、そのＰＷＭ信号に応じて出力トランジスタ駆動回路４Ｅが出力トランジスタ３のＯＮ／ＯＦＦを切り替えることにより、出力電圧ＶOを一定に保つ。
【００４２】
出力トランジスタ３がＯＮのときは、端子Ｔ１から出力トランジスタ３、コイル８へと電流が流れ、コイル８にエネルギーが蓄えられると共に白色ＬＥＤへ電流が供給される。一方、出力トランジスタ３がＯＦＦのときは、コイル８に蓄えられていたエネルギーがダイオード９を介して放出され、白色ＬＥＤへ電流が供給される。
【００４３】
各ＬＥＤ直列接続体６＿１〜６＿ｎに流れる電流は、カソード側に接続される各抵抗７＿１〜７＿ｎの抵抗値により設定された電流値となる。すなわち、ＬＥＤ直列接続体６＿ｋ（ｋは１以上ｎ以下の自然数）に流れる電流Ｉ6_kは、以下の式で表される。ただし、ＶF6_kはＬＥＤ直列接続体６＿ｋの総順方向電圧であり、ｒ7_kは抵抗７＿ｋの抵抗値である。
Ｉ6_k＝（Ｖｏ―ＶF6_k）／ｒ7_k
【００４４】
上述の通り、出力電圧検出回路２０は出力電圧Ｖｏを検出しており、駆動回路１６Ｂは出力電圧検出回路２０の検出結果に応じてスイッチ１８のオン／オフを切り替える。出力トランジスタ３が破壊する等の異常により出力電圧Ｖｏが上昇して過電圧となる場合、出力電圧検出回路２０が出力電圧Ｖｏの過電圧（予め設定している所定レベル以上の電圧）を検出し、駆動回路１６Ｂが出力電圧検出回路２０の検出結果に応じてスイッチ１８をオフにし、照明用白色ＬＥＤ駆動回路と各ＬＥＤ直列接続体６＿１〜６＿ｎとの電気的接続を遮断する。これにより、異常が発生し、出力電圧Ｖｏが過電圧となる場合であっても、出力トランジスタ３に過電流が流れ続ける状態を遮断することができる。
【００４５】
（第五実施形態）
本発明の第五実施形態に係る白色ＬＥＤ照明装置の構成を図４に示す。なお、図４において図８と同一の部分には同一の符号を付す。
【００４６】
図４に示す本発明の第五実施形態に係る白色ＬＥＤ照明装置は、直流電源１の出力電圧を平滑して入力電圧ＶINとするコンデンサ２と、白色ＬＥＤ駆動用ＩＣパッケージ２３、ダイオード９、コイル８、コンデンサ１０、抵抗１１、及び抵抗１２からなる降圧型チョッパレギュレータである照明用白色ＬＥＤ駆動回路と、複数の白色ＬＥＤを直列に接続したＬＥＤ直列接続体６＿１〜６＿ｎとによって構成される。各ＬＥＤ直列接続体６＿１〜６＿ｎは並列接続され、アノード側が照明用白色ＬＥＤ駆動回路の出力端に接続される。
【００４７】
白色ＬＥＤ駆動用ＩＣパッケージ２３は、ＮＰＮトランジスタである出力トランジスタ３と、ＰＷＭ制御回路４と、各ＬＥＤ直列接続体６＿１〜６＿ｎのカソード側にそれぞれ接続される負荷抵抗７＿１〜７＿ｎ及びＮＰＮトランジスタ１４＿１〜１４＿ｎと、各ＬＥＤ直列接続体６＿１〜６＿ｎを流れる電流を検出する電流検出回路１５と、電流検出回路１５の検出結果に応じて定電流回路２２を介して各ＮＰＮトランジスタ１４＿１〜１４＿ｎを駆動する駆動回路１６と、定電流回路２２と、入力電圧ＶINを入力する端子Ｔ１と、パルス状電圧ＶSWを出力する端子Ｔ２と、フィードバック電圧ＶFBを入力する端子Ｔ３と、グランド電位に接続される端子Ｔ４と、各ＬＥＤ直列接続体６＿１〜６＿ｎのカソード側が外部接続される端子Ｔ6_1〜Ｔ6_nとを備えている。なお、出力トランジスタ３はＮチャンネル電界効果トランジスタに代替してもよい。また、ＰＷＭ制御回路４の内部構成は、図８に示す従来の白色ＬＥＤ照明装置の場合と同様である。
【００４８】
上記構成の図４に示す本発明の第五実施形態に係る白色ＬＥＤ照明装置では、端子Ｔ３に入力されるフィードバック電圧ＶFBが出力電圧ＶOを抵抗１１及び１２で分圧したものとなり、そのフィードバック電圧ＶFBと基準電圧回路４Ｂから出力される基準電圧ＶREFとの誤差を誤差増幅器４Ａが増幅して出力し、誤差増幅器４Ａの出力と発振回路４Ｃから発振される三角波とをＰＷＭコンパレータ４Ｄが比較して誤差増幅器４Ａの出力をパルス幅変調したＰＷＭ信号を生成し、そのＰＷＭ信号に応じて出力トランジスタ駆動回路４Ｅが出力トランジスタ３のＯＮ／ＯＦＦを切り替えることにより、出力電圧ＶOを一定に保つ。
【００４９】
出力トランジスタ３がＯＮのときは、端子Ｔ１から出力トランジスタ３、コイル８へと電流が流れ、コイル８にエネルギーが蓄えられると共に白色ＬＥＤへ電流が供給される。一方、出力トランジスタ３がＯＦＦのときは、コイル８に蓄えられていたエネルギーがダイオード９を介して放出され、白色ＬＥＤへ電流が供給される。
【００５０】
正常時において、各ＮＰＮトランジスタ１４＿１〜１４＿ｎのベース電流は定電流回路２２により一定になるため、ＬＥＤの順方向電圧がばらついていても各ＬＥＤ直列接続体６＿１〜６＿ｎには一定の電流が流れ、明るさを一定に保つ。
【００５１】
上述の通り、電流検出回路１５は各ＬＥＤ直列接続体６＿１〜６＿ｎを流れる電流を検出しており、駆動回路１６は電流検出回路１５の検出結果に応じて定電流回路２２を介して各ＮＰＮトランジスタ１４＿１〜１４＿ｎを駆動する。例えば、ＬＥＤ直列接続体６＿１のＬＥＤがショートしＬＥＤ直列接続体６＿１に異常電流が流れた場合、抵抗７＿１での電圧降下が大きくなることにより電流検出回路１５がＬＥＤ直列接続体６＿１の異常電流（予め設定している所定レベル以上の電流）を検出し、駆動回路１６が電流検出回路１５の検出結果に応じて異常電流が流れているＬＥＤ直列接続体６＿１に接続されているＮＰＮトランジスタ１４＿１をオフにし、ＬＥＤ直列接続体６＿１の電流を遮断する。これにより、異常が発生し、いずれかのＬＥＤ直列接続体でＬＥＤに異常電流が流れた場合であっても、出力トランジスタ３に過電流が流れ続ける状態を遮断することができる。
【００５２】
（第六実施形態）
本発明の第六実施形態に係る白色ＬＥＤ照明装置の構成を図５に示す。なお、図５において図８と同一の部分には同一の符号を付す。
【００５３】
図５に示す本発明の第六実施形態に係る白色ＬＥＤ照明装置は、直流電源１の出力電圧を平滑して入力電圧ＶINとするコンデンサ２と、白色ＬＥＤ駆動用ＩＣパッケージ２５、ダイオード９、コイル８、コンデンサ１０、抵抗１１、及び抵抗１２からなる降圧型チョッパレギュレータである照明用白色ＬＥＤ駆動回路と、複数の白色ＬＥＤを直列に接続したＬＥＤ直列接続体６＿１〜６＿ｎとによって構成される。各ＬＥＤ直列接続体６＿１〜６＿ｎは並列接続され、アノード側が照明用白色ＬＥＤ駆動回路の出力端に接続される。
【００５４】
白色ＬＥＤ駆動用ＩＣパッケージ２５は、ＮＰＮトランジスタである出力トランジスタ３と、ＰＷＭ制御回路４と、各ＬＥＤ直列接続体６＿１〜６＿ｎのカソード側にそれぞれ接続される負荷抵抗７＿１〜７＿ｎ及びＮＰＮトランジスタ１４＿１〜１４＿ｎと、各ＬＥＤ直列接続体６＿１〜６＿ｎを流れる電流を検出する電流検出回路１５と、電流検出回路１５の検出結果に応じて電流調節回路２４を介して各ＮＰＮトランジスタ１４＿１〜１４＿ｎを駆動する駆動回路１６と、電流調節回路２４と、入力電圧ＶINを入力する端子Ｔ１と、パルス状電圧ＶSWを出力する端子Ｔ２と、フィードバック電圧ＶFBを入力する端子Ｔ３と、グランド電位に接続される端子Ｔ４と、各ＬＥＤ直列接続体６＿１〜６＿ｎのカソード側が外部接続される端子Ｔ6_1〜Ｔ6_nとを備えている。なお、出力トランジスタ３はＮチャンネル電界効果トランジスタに代替してもよい。また、ＰＷＭ制御回路４の内部構成は、図８に示す従来の白色ＬＥＤ照明装置の場合と同様である。
【００５５】
上記構成の図５に示す本発明の第六実施形態に係る白色ＬＥＤ照明装置では、端子Ｔ３に入力されるフィードバック電圧ＶFBが出力電圧ＶOを抵抗１１及び１２で分圧したものとなり、そのフィードバック電圧ＶFBと基準電圧回路４Ｂから出力される基準電圧ＶREFとの誤差を誤差増幅器４Ａが増幅して出力し、誤差増幅器４Ａの出力と発振回路４Ｃから発振される三角波とをＰＷＭコンパレータ４Ｄが比較して誤差増幅器４Ａの出力をパルス幅変調したＰＷＭ信号を生成し、そのＰＷＭ信号に応じて出力トランジスタ駆動回路４Ｅが出力トランジスタ３のＯＮ／ＯＦＦを切り替えることにより、出力電圧ＶOを一定に保つ。
【００５６】
出力トランジスタ３がＯＮのときは、端子Ｔ１から出力トランジスタ３、コイル８へと電流が流れ、コイル８にエネルギーが蓄えられると共に白色ＬＥＤへ電流が供給される。一方、出力トランジスタ３がＯＦＦのときは、コイル８に蓄えられていたエネルギーがダイオード９を介して放出され、白色ＬＥＤへ電流が供給される。
【００５７】
正常時において、各ＮＰＮトランジスタ１４＿１〜１４＿ｎのベース電流は電流調節回路２４により一定になるため、ＬＥＤの順方向電圧がばらついていても各ＬＥＤ直列接続体６＿１〜６＿ｎには一定の電流が流れ、明るさを一定に保つ。
【００５８】
上述の通り、電流検出回路１５は各ＬＥＤ直列接続体６＿１〜６＿ｎを流れる電流を検出しており、駆動回路１６は電流検出回路１５の検出結果に応じて電流調節回路２４を介して各ＮＰＮトランジスタ１４＿１〜１４＿ｎを駆動する。例えば、ＬＥＤ直列接続体６＿１のＬＥＤがショートしＬＥＤ直列接続体６＿１に異常電流が流れた場合、抵抗７＿１での電圧降下が大きくなることにより電流検出回路１５がＬＥＤ直列接続体６＿１の異常電流（予め設定している所定レベル以上の電流）を検出し、駆動回路１６が電流検出回路１５の検出結果に応じて異常電流が流れているＬＥＤ直列接続体６＿１に接続されているＮＰＮトランジスタ１４＿１をオフにし、ＬＥＤ直列接続体６＿１の電流を遮断するとともに、電流調節回路２４がＮＰＮトランジスタ１４＿２〜１４＿ｎのベースに供給する電流を正常時よりも増やし、ＬＥＤ直列接続体６＿２〜６＿２に流れる電流を増やす。これにより、異常が発生し、いずれかのＬＥＤ直列接続体でＬＥＤに異常電流が流れた場合であっても、出力トランジスタ３に過電流が流れ続ける状態を遮断することができるとともに正常時と明るさを同一にすることができる。
【００５９】
（第七実施形態）
本発明の第七実施形態に係る白色ＬＥＤ照明装置の構成を図６に示す。なお、図６において図８と同一の部分には同一の符号を付す。
【００６０】
図６に示す本発明の第七実施形態に係る白色ＬＥＤ照明装置は、直流電源１の出力電圧を平滑して入力電圧ＶINとするコンデンサ２と、白色ＬＥＤ駆動用ＩＣパッケージ２７、ダイオード９、コイル８、コンデンサ１０、抵抗１１、及び抵抗１２からなる降圧型チョッパレギュレータである照明用白色ＬＥＤ駆動回路と、複数の白色ＬＥＤを直列に接続したＬＥＤ直列接続体６＿１〜６＿ｎとによって構成される。各ＬＥＤ直列接続体６＿１〜６＿ｎは並列接続され、アノード側が照明用白色ＬＥＤ駆動回路の出力端に接続される。
【００６１】
白色ＬＥＤ駆動用ＩＣパッケージ２７は、ＮＰＮトランジスタである出力トランジスタ３と、ＰＷＭ制御回路４と、各ＬＥＤ直列接続体６＿１〜６＿ｎのカソード側にそれぞれ接続される負荷抵抗７＿１〜７＿ｎ及びＮＰＮトランジスタ１４＿１〜１４＿ｎと、各ＬＥＤ直列接続体６＿１〜６＿ｎを流れる電流を検出する電流検出回路１５と、電流検出回路１５の検出結果に応じて駆動回路１６を制御する点滅駆動切り替え回路２６と、点滅駆動切り替え回路２６の制御に従って各ＮＰＮトランジスタ１４＿１〜１４＿ｎを駆動する駆動回路１６Ｃと、入力電圧ＶINを入力する端子Ｔ１と、パルス状電圧ＶSWを出力する端子Ｔ２と、フィードバック電圧ＶFBを入力する端子Ｔ３と、グランド電位に接続される端子Ｔ４と、各ＬＥＤ直列接続体６＿１〜６＿ｎのカソード側が外部接続される端子Ｔ6_1〜Ｔ6_nとを備えている。なお、出力トランジスタ３はＮチャンネル電界効果トランジスタに代替してもよい。また、ＰＷＭ制御回路４の内部構成は、図８に示す従来の白色ＬＥＤ照明装置の場合と同様である。
【００６２】
上記構成の図６に示す本発明の第五実施形態に係る白色ＬＥＤ照明装置では、端子Ｔ３に入力されるフィードバック電圧ＶFBが出力電圧ＶOを抵抗１１及び１２で分圧したものとなり、そのフィードバック電圧ＶFBと基準電圧回路４Ｂから出力される基準電圧ＶREFとの誤差を誤差増幅器４Ａが増幅して出力し、誤差増幅器４Ａの出力と発振回路４Ｃから発振される三角波とをＰＷＭコンパレータ４Ｄが比較して誤差増幅器４Ａの出力をパルス幅変調したＰＷＭ信号を生成し、そのＰＷＭ信号に応じて出力トランジスタ駆動回路４Ｅが出力トランジスタ３のＯＮ／ＯＦＦを切り替えることにより、出力電圧ＶOを一定に保つ。
【００６３】
出力トランジスタ３がＯＮのときは、端子Ｔ１から出力トランジスタ３、コイル８へと電流が流れ、コイル８にエネルギーが蓄えられると共に白色ＬＥＤへ電流が供給される。一方、出力トランジスタ３がＯＦＦのときは、コイル８に蓄えられていたエネルギーがダイオード９を介して放出され、白色ＬＥＤへ電流が供給される。
【００６４】
各ＬＥＤ直列接続体６＿１〜６＿ｎに流れる電流は、カソード側に接続される各抵抗７＿１〜７＿ｎの抵抗値及び各ＮＰＮトランジスタ１４＿１〜１４＿ｎのコレクタ−エミッタ間電圧により設定された電流値となる。すなわち、ＬＥＤ直列接続体６＿ｋ（ｋは１以上ｎ以下の自然数）に流れる電流Ｉ6_kは、以下の式で表される。ただし、ＶF6_kはＬＥＤ直列接続体６＿ｋの総順方向電圧であり、ＶCE14_kはＮＰＮトランジスタ１４＿ｋのコレクタ−エミッタ間電圧であり、ｒ7_kは抵抗７＿ｋの抵抗値である。
Ｉ6_k＝（Ｖｏ―ＶF6_k―ＶCE14_k）／ｒ7_k
【００６５】
上述の通り、電流検出回路１５は各ＬＥＤ直列接続体６＿１〜６＿ｎを流れる電流を検出しており、点滅駆動切り替え回路２６は電流検出回路１５の検出結果に応じて駆動回路１６Ｃを制御しており、駆動回路１６Ｃは点滅駆動切り替え回路２６の制御に従って各ＮＰＮトランジスタ１４＿１〜１４＿ｎを駆動する。例えば、ＬＥＤ直列接続体６＿１のＬＥＤがショートしＬＥＤ直列接続体６＿１に異常電流が流れた場合、抵抗７＿１での電圧降下が大きくなることにより電流検出回路１５がＬＥＤ直列接続体６＿１の異常電流（予め設定している所定レベル以上の電流）を検出し、駆動回路１６Ｃが、点滅駆動切り替え回路２６の制御に従って、異常電流が流れているＬＥＤ直列接続体６＿１に接続されているＮＰＮトランジスタ１４＿１をオフにし、ＬＥＤ直列接続体６＿１の電流を遮断するとともに、異常電流が流れていないＬＥＤ直列接続体６＿２〜６＿ｎに接続されているＮＰＮトランジスタ１４＿２〜１４＿ｎのオン／オフの切り替えを繰り返し、ＬＥＤ直列接続体６＿２〜６＿ｎのＬＥＤを点滅させる。これにより、異常が発生し、いずれかのＬＥＤ直列接続体でＬＥＤに異常電流が流れた場合であっても、出力トランジスタ３に過電流が流れ続ける状態を遮断することができるとともに異常電流が流れていないＬＥＤ直列接続体のＬＥＤの点滅により異常状態を使用者に知らせることができる。
【００６６】
（第八実施形態）
本発明の第八実施形態に係る白色ＬＥＤ照明装置の構成を図７に示す。なお、図７において図８と同一の部分には同一の符号を付す。
【００６７】
図７に示す本発明の第八実施形態に係る白色ＬＥＤ照明装置は、直流電源１の出力電圧を平滑して入力電圧ＶINとするコンデンサ２と、白色ＬＥＤ駆動用ＩＣパッケージ２９、ダイオード９、コイル８、コンデンサ１０、抵抗１１、及び抵抗１２からなる降圧型チョッパレギュレータである照明用白色ＬＥＤ駆動回路と、複数の白色ＬＥＤを直列に接続したＬＥＤ直列接続体６＿１〜６＿ｎとによって構成される。各ＬＥＤ直列接続体６＿１〜６＿ｎは並列接続され、アノード側が照明用白色ＬＥＤ駆動回路の出力端に接続される。
【００６８】
白色ＬＥＤ駆動用ＩＣパッケージ２９は、ＮＰＮトランジスタである出力トランジスタ３と、ＰＷＭ制御回路４と、各ＬＥＤ直列接続体６＿１〜６＿ｎのカソード側にそれぞれ接続される負荷抵抗７＿１〜７＿ｎ及びＮＰＮトランジスタ１４＿１〜１４＿ｎと、各ＬＥＤ直列接続体６＿１〜６＿ｎを流れる電流及び各ＬＥＤ直列接続体６＿１〜６＿ｎのオープン状態を検出する電流／オープン検出回路２８と、電流／オープン検出回路２８の検出結果に応じて駆動回路１６Ｃを制御する点滅駆動切り替え回路２６と、点滅駆動切り替え回路２６の制御に従って各ＮＰＮトランジスタ１４＿１〜１４＿ｎを駆動する駆動回路１６Ｃと、入力電圧ＶINを入力する端子Ｔ１と、パルス状電圧ＶSWを出力する端子Ｔ２と、フィードバック電圧ＶFBを入力する端子Ｔ３と、グランド電位に接続される端子Ｔ４と、各ＬＥＤ直列接続体６＿１〜６＿ｎのカソード側が外部接続される端子Ｔ6_1〜Ｔ6_nとを備えている。なお、出力トランジスタ３はＮチャンネル電界効果トランジスタに代替してもよい。また、ＰＷＭ制御回路４の内部構成は、図８に示す従来の白色ＬＥＤ照明装置の場合と同様である。
【００６９】
上記構成の図７に示す本発明の第五実施形態に係る白色ＬＥＤ照明装置では、端子Ｔ３に入力されるフィードバック電圧ＶFBが出力電圧ＶOを抵抗１１及び１２で分圧したものとなり、そのフィードバック電圧ＶFBと基準電圧回路４Ｂから出力される基準電圧ＶREFとの誤差を誤差増幅器４Ａが増幅して出力し、誤差増幅器４Ａの出力と発振回路４Ｃから発振される三角波とをＰＷＭコンパレータ４Ｄが比較して誤差増幅器４Ａの出力をパルス幅変調したＰＷＭ信号を生成し、そのＰＷＭ信号に応じて出力トランジスタ駆動回路４Ｅが出力トランジスタ３のＯＮ／ＯＦＦを切り替えることにより、出力電圧ＶOを一定に保つ。
【００７０】
出力トランジスタ３がＯＮのときは、端子Ｔ１から出力トランジスタ３、コイル８へと電流が流れ、コイル８にエネルギーが蓄えられると共に白色ＬＥＤへ電流が供給される。一方、出力トランジスタ３がＯＦＦのときは、コイル８に蓄えられていたエネルギーがダイオード９を介して放出され、白色ＬＥＤへ電流が供給される。
【００７１】
各ＬＥＤ直列接続体６＿１〜６＿ｎに流れる電流は、カソード側に接続される各抵抗７＿１〜７＿ｎの抵抗値及び各ＮＰＮトランジスタ１４＿１〜１４＿ｎのコレクタ−エミッタ間電圧により設定された電流値となる。すなわち、ＬＥＤ直列接続体６＿ｋ（ｋは１以上ｎ以下の自然数）に流れる電流Ｉ6_kは、以下の式で表される。ただし、ＶF6_kはＬＥＤ直列接続体６＿ｋの総順方向電圧であり、ＶCE14_kはＮＰＮトランジスタ１４＿ｋのコレクタ−エミッタ間電圧であり、ｒ7_kは抵抗７＿ｋの抵抗値である。
Ｉ6_k＝（Ｖｏ―ＶF6_k―ＶCE14_k）／ｒ7_k
【００７２】
上述の通り、電流／オープン検出回路２８は各ＬＥＤ直列接続体６＿１〜６＿ｎを流れる電流及び各ＬＥＤ直列接続体６＿１〜６＿ｎのオープン状態を検出しており、点滅駆動切り替え回路２６は電流／オープン検出回路２８の検出結果に応じて駆動回路１６Ｃを制御しており、駆動回路１６Ｃは点滅駆動切り替え回路２６の制御に従って各ＮＰＮトランジスタ１４＿１〜１４＿ｎを駆動する。
【００７３】
例えば、ＬＥＤ直列接続体６＿１のＬＥＤがショートしＬＥＤ直列接続体６＿１に異常電流が流れた場合、抵抗７＿１での電圧降下が大きくなることにより電流／オープン検出回路２８がＬＥＤ直列接続体６＿１の異常電流（予め設定している所定レベル以上の電流）を検出し、駆動回路１６Ｃが、点滅駆動切り替え回路２６の制御に従って、異常電流が流れているＬＥＤ直列接続体６＿１に接続されているＮＰＮトランジスタ１４＿１をオフにし、ＬＥＤ直列接続体６＿１の電流を遮断するとともに、異常電流が流れていないＬＥＤ直列接続体６＿２〜６＿ｎに接続されているＮＰＮトランジスタ１４＿２〜１４＿ｎのオン／オフの切り替えを繰り返し、ＬＥＤ直列接続体６＿２〜６＿ｎのＬＥＤを点滅させる。これにより、異常が発生し、いずれかのＬＥＤ直列接続体でＬＥＤに異常電流が流れた場合であっても、出力トランジスタ３に過電流が流れ続ける状態を遮断することができるとともに異常電流が流れていないＬＥＤ直列接続体のＬＥＤの点滅により異常状態を使用者に知らせることができる。
【００７４】
また、例えば、ＬＥＤ直列接続体６＿１がオープン状態になった場合、抵抗７＿１での電圧降下が発生しなくなることにより電流／オープン検出回路２８がＬＥＤ直列接続体６＿１のオープン状態を検出し、駆動回路１６Ｃが、点滅駆動切り替え回路２６の制御に従って、オープン状態になっているＬＥＤ直列接続体６＿１に接続されているＮＰＮトランジスタ１４＿１をオフにするとともに、オープン状態になっていないＬＥＤ直列接続体６＿２〜６＿ｎに接続されているＮＰＮトランジスタ１４＿２〜１４＿ｎのオン／オフの切り替えを繰り返し、ＬＥＤ直列接続体６＿２〜６＿ｎのＬＥＤを点滅させる。これにより、異常が発生し、いずれかのＬＥＤ直列接続体がオープン状態になった場合も、オープン状態になっていないＬＥＤ直列接続体のＬＥＤの点滅により異常状態を使用者に知らせることができる。
【００７５】
（その他）
上述した第一〜八実施形態では、照明用白色ＬＥＤ駆動回路に降圧型チョッパレギュレータを用いたが、本発明はこれに限定されることはなく、他のレギュレータを用いることも可能である。
【００７６】
また、本発明に係る電子機器は、上述した本発明に係る白色ＬＥＤ照明装置を備えている。本発明に係る電子機器の一例としては、バックライトを必要とする表示装置（例えば液晶表示装置）を備え、そのバックライトに上述した本発明に係る白色ＬＥＤ照明装置を用いているものが挙げられる。
【図面の簡単な説明】
【００７７】
【図１】は、本発明の第一、二実施形態に係る白色ＬＥＤ照明装置の構成を示す図である。
【図２】は、本発明の第三実施形態に係る白色ＬＥＤ照明装置の構成を示す図である。
【図３】は、本発明の第四実施形態に係る白色ＬＥＤ照明装置の構成を示す図である。
【図４】は、本発明の第五実施形態に係る白色ＬＥＤ照明装置の構成を示す図である。
【図５】は、本発明の第六実施形態に係る白色ＬＥＤ照明装置の構成を示す図である。
【図６】は、本発明の第七実施形態に係る白色ＬＥＤ照明装置の構成を示す図である。
【図７】は、本発明の第八実施形態に係る白色ＬＥＤ照明装置の構成を示す図である。
【図８】は、従来の白色ＬＥＤ照明装置の一構成例を示す図である。
【図９】は、従来の白色ＬＥＤ照明装置のパルス・バイ・パルス方式過電流保護時の動作波形を示す図である。
【符号の説明】
【００７８】
１    直流電源
２    コンデンサ
３    出力トランジスタ
４    ＰＷＭ制御回路
４Ａ    誤差増幅器
４Ｂ    基準電圧回路
４Ｃ    発振回路
４Ｄ    ＰＷＭコンパレータ
４Ｅ    出力トランジスタ駆動回路
５    過電流検出回路
６＿１〜６＿ｎ    ＬＥＤ直列接続体
７＿１〜７＿ｎ    負荷抵抗
８    コイル
９    ダイオード
１０    コンデンサ
１１、１２    抵抗
１３、１７、１９、２１、２３、２５、２７、２９    白色ＬＥＤ駆動用ＩＣパッケージ
１４＿１〜１４＿ｎ    ＮＰＮトランジスタ
１５    電流検出回路
１６、１６Ａ〜１６Ｃ    駆動回路
１８    スイッチ
２０    出力電圧検出回路
２２    定電流回路
２４    電流調節回路
２６    点滅駆動切り替え回路
２８    電流／オープン検出回路
Ｔ１〜Ｔ４、Ｔ6_1〜Ｔ6_n    端子
【図１】
2009252344.tif 000003
【図２】
2009252344.tif 000004
【図３】
2009252344.tif 000005
【図４】
2009252344.tif 000006
【図５】
2009252344.tif 000007
【図６】
2009252344.tif 000008
【図７】
2009252344.tif 000009
【図８】
2009252344.tif 000010
【図９】
2009252344.tif 000011